(57)【要約】【課題】支持脚の開閉動作を容易に行うことができ、スムーズな姿勢変更が可能なアイロン台を提供する。【解決手段】天板２と、使用状態で天板２を下方から支持し、使用状態で互いに交差して配置され、収納状態で天板２の裏面１０に沿って配置される一対の支持脚３と、を備え、一対の支持脚３のうちの一方の第一支持脚３ａは、天板２に接続された基端部２１と、基端部２１に対して天板２の裏面１０に沿って延びる第一軸線Ｏ１を中心として相対回転可能に接続され、かつ、一対の支持脚３のうちの他方の第二支持脚３ｂに第一軸線Ｏ１と平行な軸線Ｏ３回りに相対回転可能に接続された脚先部３１とを有し、基端部２１と脚先部３１とのうちの一方には係合部４１が設けられ、他方には使用状態で係合部４１に係合して基端部２１と脚先部３１とを固定し、使用状態から収納状態に移る際に係合部４１との係合が解除される受け部４５が設けられている。【選択図】図２
2019017677.tif 000002
【特許請求の範囲】
【請求項１】
アイロンがけされる対象物を載置可能な天板と、
使用状態で前記天板を下方から支持し、前記使用状態で前記天板から鉛直方向に対して斜めに傾斜して延びるとともに互いに交差し、収納状態で前記天板の裏面に沿って配置される一対の支持脚と、
を備え、
前記一対の支持脚のうちの一方の第一支持脚は、前記天板に接続された基端部と、前記基端部に対して前記天板の裏面に沿って延びる第一軸線を中心として相対回転可能に接続され、かつ、前記一対の支持脚のうちの他方の第二支持脚に前記第一軸線と平行な軸線回りに相対回転可能に接続された脚先部とを有し、
前記基端部と前記脚先部とのうちの一方には係合部が設けられ、他方には前記使用状態で前記係合部に係合して前記基端部と前記脚先部とを固定し、前記使用状態から前記収納状態に移る際に前記係合部との係合が解除される受け部が設けられているアイロン台。
【請求項２】
前記係合部は、前記基端部に設けられたピン状部材を有し、前記受け部は、前記脚先部に設けられて前記使用状態で前記ピン状部材に引っ掛かかるフック状部材を有している請求項１に記載のアイロン台。
【請求項３】
前記受け部は、前記フック状部材と一体に設けられるとともに前記脚先部の延在方向に沿って進退可能に設けられ、前記使用状態で前記脚先部の先端に向かって進出することで前記ピン状部材との前記フック状部材との係合を解除可能な操作部をさらに有している請求項２に記載のアイロン台。
【請求項４】
前記第二支持脚は、前記脚先部の先端に設けられ、床面に接触して転動可能な転動体、又は、前記床面と接触して滑る滑動体をさらに有している請求項１から３のいずれか一項に記載のアイロン台。
【請求項５】
前記収納状態で、前記脚先部と前記第二支持脚とが前記天板における同じ端部側に配置されて前記天板から突出するとともに、前記脚先部と前記第二支持脚とによって床面に自立可能となるように、前記第一支持脚及び前記第二支持脚が設けられている請求項１から４のいずれか一項に記載のアイロン台。
【発明の詳細な説明】
【技術分野】
【０００１】
本発明は、衣服等にアイロンがけを行う際に用いられるアイロン台に関する。
【背景技術】
【０００２】
衣服のシワやヨレを取り除くため、アイロンによって衣服をアイロン台の天板に押し付けるようにしてアイロンがけを行うことが一般に行われている。
【０００３】
アイロン台としては種々の形態のものがこれまでに実用化されている。例えば、比較的に床面に近い位置での使用を想定した短い脚を有するものや、立った状態での使用を想定した長い脚を有するものなどが挙げられる。このうち、立った状態での使用を想定したアイロン台の一例として、下記特許文献１に記載されたアイロン台が知られている。
【０００４】
特許文献１に記載されたアイロン台には、一対の支持脚が天板（台本体）を下方から支持するとともに、これら支持脚が折り畳み自在に設けられている。そしてこのアイロン台では一対の支持脚のうちの一方の支持脚の上端に設けられた係止部が、台本体に設けられた切欠き部に入り込むことで支持脚が固定され、アイロン台を所定の使用姿勢に保つことが可能となっている。
【先行技術文献】
【特許文献】
【０００５】
【特許文献１】特開２００６−９５１２３号公報
【発明の概要】
【発明が解決しようとする課題】
【０００６】
しかしながら、上記特許文献１に記載されたアイロン台では、使用姿勢から折り畳み姿勢にアイロン台の姿勢変更を行う際に、即ち脚部の開閉動作を行う際には、まずストッパをスライド移動させた後、切り欠き部と係止部との係合を解除する必要があり、姿勢変更の動作が非常に複雑であり、非常に手間を要する。
【０００７】
そこで本発明では、支持脚の開閉動作を容易に行うことができ、スムーズな姿勢変更が可能なアイロン台を提供する。
【課題を解決するための手段】
【０００８】
即ち、本発明の第一の態様に係るアイロン台は、アイロンがけされる対象物を載置可能な天板と、使用状態で前記天板を下方から支持し、前記使用状態で前記天板から鉛直方向に対して斜めに傾斜して延びるとともに互いに交差し、収納状態で前記天板の裏面に沿って配置される一対の支持脚と、を備え、前記一対の支持脚のうちの一方の第一支持脚は、前記天板に接続された基端部と、前記基端部に対して前記天板の裏面に沿って延びる第一軸線を中心として相対回転可能に接続され、かつ、前記一対の支持脚のうちの他方の第二支持脚に前記第一軸線と平行な軸線回りに相対回転可能に接続された脚先部とを有し、前記基端部と前記脚先部とのうちの一方には係合部が設けられ、他方には前記使用状態で前記係合部に係合して前記基端部と前記脚先部とを固定し、前記使用状態から前記収納状態に移る際に前記係合部との係合が解除される受け部が設けられている。
【０００９】
このようなアイロン台によれば、収納状態から使用状態に姿勢変更を行う際には、第一支持脚が天板の裏面に沿って配置されている状態から第一支持脚を開く。この際、第一支持脚の基端部と脚先部とが第一軸線を中心に折れ曲がった状態から基端部と脚先部とが天板の裏面から突出した状態なる。すると係合部と受け部とが係合し、基端部と脚先部とが固定される。この際、脚先部の動作にともなって脚先部に接続された第二支持脚も天板の裏面に沿って配置されている状態から開かれる。この結果、第一支持脚と第二支持脚とが交差した状態で配置され、アイロン台が使用状態となるように、支持脚が所定の位置に固定される。このように、単に第一支持脚を開き、基端部と脚先部とを係合部で固定するのみによってアイロン台の姿勢変更が可能となる。
逆に、係合部と受け部との係合を解除することで、第一支持脚の基端部と脚先部とを相対回転させて第一支持脚を閉じ、天板の裏面に沿って配置するように動作させる。この第一支持脚の動作に伴って、第一支持脚の脚先部に接続された第二支持脚も折り畳まれて閉じられ、第一支持脚及び第二支持脚を天板の裏面に配置することができる。このように、係合部と受け部との係合を単に解除するのみで第一支持脚及び第二支持脚を閉じ、アイロン台の姿勢変更が可能となる。
【００１０】
また上記態様では、前記係合部は、前記基端部に設けられたピン状部材を有し、前記受け部は、前記脚先部に設けられて前記使用状態で前記ピン状部材に引っ掛かかるフック状部材を有していてもよい。
【００１１】
このように第一支持脚を開くことで、ピン状部材にフック状部材を引っ掛けるのみの簡単な動作で基端部と脚先部とを固定し、アイロン台を容易に使用状態とすることが可能である。
【００１２】
また上記態様では、前記受け部は、前記フック状部材と一体に設けられるとともに前記脚先部の延在方向に沿って進退可能に設けられ、前記使用状態で前記脚先部の先端に向かって進出することで前記ピン状部材との前記フック状部材との係合を解除可能な操作部をさらに有していてもよい。
【００１３】
このような操作部を設けることで、使用状態で単に操作部を脚先部の延在方向に、即ち、第一支持脚の延在方向に進退させるといった動作によって、容易にピン状部材とのフック状部材との係合を解除でき、第一支持脚及び第二支持脚を閉じることで使用状態から収納状態への姿勢変更を容易に行うことが可能である。
【００１４】
また上記態様では、前記第二支持脚は、前記脚先部の先端に設けられ、床面に接触して転動可能な転動体、又は、前記床面と接触して滑る滑動体をさらに有していてもよい。
【００１５】
このような転動体を設けることで、転動体が転動することで、又は、滑動体が滑動することで第一支持脚を軸にして第二支持脚が床面上を滑り、第二支持脚部を閉じる動作をスムーズに少ない力で行うことができる。よって第二支持脚をスムーズに開閉させることで、これに伴う第一支持脚の開閉動作も容易に行うことができ、さらにスムーズにアイロン台の姿勢変更が可能となる。
【００１６】
また上記態様では、前記収納状態で、前記脚先部と前記第二支持脚とが前記天板における同じ端部側に配置されて前記天板から突出するとともに、前記脚先部と前記第二支持脚とによって床面に自立可能となるように、前記第一支持脚及び前記第二支持脚が設けられていてもよい。
【００１７】
このように収納状態でアイロン台が自立可能となっていることで、アイロン台を壁等に立てかける必要が無くなり、収納場所の選択肢が広がる。
【発明の効果】
【００１８】
上記のアイロン台によると、第一支持脚に係合部及び受け部を設けることで、支持脚の開閉動作を容易に行い、スムーズな姿勢変更が可能である。
【図面の簡単な説明】
【００１９】
【図１】本発明の実施形態に係るアイロン台の使用状態を示す全体斜視図である。
【図２】本発明の実施形態に係るアイロン台の収納状態を示す平面図であって、天板を裏面から見た図である。
【図３】本発明の実施形態に係るアイロン台の斜視図であって、（ａ）収納状態で自立した状態の全体図を示し、（ｂ）は（ａ）のＡ部拡大図を示す。
【図４】本発明の実施形態に係るアイロン台が使用状態となった際の係合部及び受け部を示す斜視断面図である。
【図５】本発明の実施形態に係るアイロン台が使用状態から収納状態に向かう際の係合部及び受け部の動作を説明する斜視断面図である。
【図６】本発明の実施形態に係るアイロン台が収納状態から使用状態に向かう際の係合部及び受け部の動作を説明する斜視断面図である。
【図７】本発明の実施形態に係るアイロン台が使用状態となる直前の状態を示す斜視断面図である。
【図８】本発明の実施形態の第一変形例に係るアイロン台の収納状態を示す平面図であって、天板を裏面から見た図である。
【図９】本発明の実施形態の第二変形例に係るアイロン台の使用状態を示す全体斜視図である。
【発明を実施するための形態】
【００２０】
以下、本発明の実施形態に係るアイロン台１について説明する。
図１に示すように、アイロン台１は、アイロンがけを行う衣類等を載置する天板２と、天板２の裏面１０に設けられた一対の支持脚３と、これら一対の支持脚３に干渉しない位置で天板２から突出可能に設けられたアイロン置き４とを備えている。
本実施形態のアイロン台１は、立った状態でアイロンがけを行うことが可能なスタンド式のアイロン台である。
【００２１】
天板２は、略長方形状の板である。なお天板２の形状は図示したものには限定されない。そして天板２は、例えば骨組みにラス網を取り付けた後にポリエステル繊維等で形成されたクッション材と布等の被覆材をかぶせることで形成されてもよいし、樹脂で一体に形成された枠組み及び天面に、クッション材と布等の被覆材をかぶせることで形成されてもよい。
以下、天板２の長辺の延びる方向を長手方向、短辺の延びる方向を幅方向とする。
【００２２】
図２に示すように、天板２の裏面１０には、長手方向に延びるとともに、幅方向に互いに離れて平行に延びる一対の縦骨１２が設けられている。また天板２にはこれら縦骨１２同士を幅方向に接続し、幅方向に延びる複数の横骨１３が設けられている。本実施形態では横骨１３として、長手方向に離れた位置で互いに平行に配置された第一の横骨１３ａと、第二の横骨１３ｂとの二つが設けられている。各々の横骨１３は、各々長手方向に隙間を空けて配置された一対の骨部材１４を有している。
【００２３】
アイロン置き４は、天板２の裏面１０の長手方向の一端に設けられている。そして、長手方向に天板２から突出可能に、長手方向にスライド移動可能に、アイロン置き４が一対の縦骨１２に支持されている。なお、第二の横骨１３ｂは第一の横骨１３ａよりもアイロン置き４に長手方向に近い位置に配置されている。ここで天板２におけるアイロン置き４が設けられた側を長手方向の後端側とし、その反対側を先端側とする。
【００２４】
支持脚３として、図１に示すアイロン台１の使用状態では天板２から鉛直方向に対して長手方向に斜めに傾斜して延びるとともに互いに交差する第一支持脚３ａと第二支持脚３ｂとが設けられている。
【００２５】
第一支持脚３ａは、第一の横骨１３ａに固定された第一の脚支持部１７に支持された基端部２１と、基端部２１に対して天板２の裏面１０に沿って延びる第一軸線Ｏ１回りに相対回転可能に接続された脚先部３１とを有している。
【００２６】
基端部２１を支持する第一の脚支持部１７は、第一の横骨１３ａにおける一対の骨部材１４間にわたって天板２の幅方向の中央位置に設けられている。そして基端部２１は図２に示すようにＵ字状をなす部材である。即ち基端部２１は第一の脚支持部１７に支持された位置から幅方向の両側で、第一の横骨１３ａから離れるようにして延びる一対の脚本体２２と、これら一対の脚本体２２同士を接続するとともに幅方向に延びる接続部２３とを有している。接続部２３は第一の脚支持部１７と第一の横骨１３ａとの間に挟まれるようにして配置されている。これにより、接続部２３が裏面１０に沿って延びる軸線Ｏ回りに天板２に対して回転可能になっている。よって基端部２１はこの軸線Ｏ回りに天板２に対して回転する。図２及び図３（ａ）に示す収納状態では、基端部２１は天板２の裏面１０に沿って配置されるとともに脚本体２２の先端が接続部２３に対して長手方向の後端側に位置する。
【００２７】
そして、基端部２１における各々の脚本体２２の先端には脚本体２２から幅方向の外側に突出するようにして、収納状態では脚本体２２よりも天板２の裏面１０に近い側に位置する脚受け２５が設けられている。脚受け２５は、収納状態では裏面１０に沿って延びる平板部２６と、平板部２６の幅方向外側で収納状態で裏面１０から離れる方向に向かって湾曲する湾曲板部２７とを有する板状をなしている。
【００２８】
本実施形態では、これら一対の脚受け２５のうちの一方（図２の紙面に向かって右側）に、係合部４１が設けられている。本実施形態では係合部４１はピン状部材４２のみを有している。ピン状部材４２は幅方向に延びる円柱状をなし、図４に示すように脚本体２２の先端と、脚受け２５における湾曲板部２７とを接続するように設けられている。このピン状部材４２は平板部２６との間に隙間を空けた状態で設けられている。
【００２９】
また、基端部２１における脚本体２２の延在方向の途中の位置からは、幅方向外側に向かって円柱状の第一支持軸２９が突出している。第一支持軸２９の中心が上記の第一軸線Ｏ１となっており、この第一軸線Ｏ１は天板２の裏面１０に沿って幅方向に延びている。
【００３０】
図１及び図２に示すように脚先部３１は、基端部２１の脚本体２２よりも幅方向外側に配置された一対の脚先本体３２と、これら脚先本体３２同士を幅方向に接続する脚先接続部３３とを有している。
【００３１】
脚先接続部３３は、図２に示すように基端部２１の接続部２３に平行に、収納状態では接続部２３に対して長手方向の前方側に位置する棒状部材である。
【００３２】
各々の脚先本体３２は中空の円筒状をなし、基端側（使用状態での上側）で第一支持軸２９によって基端部２１の対応する脚本体２２に接続されている。これにより第一軸線Ｏ１を中心に基端部２１と脚先本体３２とが相対回転可能となっている。また、各々の脚先本体３２の先端は、図１に示すように使用状態では鉛直方向に対して斜めに真っ直ぐに延びた後、長手方向の後端側に向かって幅方向外側に向かって屈曲している。そして脚先本体３２の先端には滑り止め用の、及び床面の傷付きを抑制する第一支持脚３ａとは異なる材料で形成された部材３４が嵌め込まれている。
【００３３】
さらに基端部２１の脚本体２２のうち、係合部４１が設けられた脚本体２２に接続された脚先本体３２には、係合部４１と係合可能に受け部４５が設けられている。
【００３４】
図４から図７に示すように、受け部４５は、脚先本体３２の基端側から脚先本体３２の外部に露出する操作部４７と、操作部４７と一体に、操作部４７よりも脚先本体３２の先端側で脚先本体３２の内部に一部が配置されたフック状部材４６とを有している。
【００３５】
フック状部材４６は、脚先本体３２の内部で、脚先本体３２の先端に向かって進出し、又は先端に対して退避するようにスライド移動可能である。そしてフック状部材４６には、脚先本体３２の先端側の端部で、使用状態でピン状部材４２に対向する位置でフック状の溝４６ａが形成されている。なお、溝４６ａに対応する脚先本体３２の外面には、溝４６ａの開口が外部に露出可能となるように、ピン状部材４２が溝４６ａの内部に配置可能となるように、切欠き部３２ａが設けられている。切欠き部３２ａは半円状の溝である。
【００３６】
フック状部材４６の溝４６ａを形成する面として、最も切欠き部３２ａ側の位置で脚先本体３２の内部側に向かって脚先本体３２の先端側から離れるように平面状に傾斜する案内面５１と、案内面５１における操作部４７側の端部に滑らかに連続し、脚先本体３２の先端に向かって脚先本体３２の内部側に向かって凸状に湾曲する湾曲面５２と、湾曲面５２に連続して円弧状に凹状に湾曲する係止面５３とがフック状部材４６に設けられている。
さらに溝４６ａを形成する面として、係止面５３に脚先本体３２の内部側で連続し、脚先本体３２の延在方向に沿って操作部４７側に向かって平面状に延びる内側面５４と、内側面５４に操作部４７側で連続し、脚先本体３２の切欠き部３２ａに向かって平面状に延びて案内面５１とともに溝４６ａの開口を切欠き部３２ａ側に形成する開口形成面５５とがフック状部材４６に設けられている。
【００３７】
さらにフック状部材４６には、溝４６ａよりも脚先本体３２の先端から遠い位置に、第一支持軸２９が貫通する長孔５６が形成されている。長孔５６は、脚先本体３２の延在方向に長く形成されるととともに幅方向にフック状部材４６を貫通している。
【００３８】
操作部４７は、本実施形態では円柱状をなす操作ボタン６４である。
操作ボタン６４には操作ボタン６４を外周側から覆うようにフック状部材４６と脚先本体３２の内面との間に挿入されて一部が脚先本体３２から突出する外筒部６１が設けられている。さらに、操作ボタン６４と外筒部６１との間にはバネ部材６５が介在されている。
【００３９】
そして操作ボタン６４はフック状部材４６に圧入若しくは接着して取り付けられて、脚先本体３２及び外筒部６１から脚先本体３２の延在方向に（使用状態では上方に）露出している。
【００４０】
外筒部６１は円筒状をなしている。外筒部６１には脚先本体３２の端縁の位置で、外周側に環状に突出する外側フランジ６２と内周側に環状に突出する内側フランジ６３とが設けられている。外側フランジ６２によって外筒部６１は、脚先本体３２に支持されている。
【００４１】
バネ部材６５は例えばコイルバネであって、操作ボタン６４と内側フランジ６３との間に挟まれて設けられている。操作ボタン６４を脚先本体３２の先端に向かって押圧して、フック状部材４６の溝４６ａが脚先本体３２の先端に向かって移動した後に、操作ボタン６４の押圧を止めると、バネ部材６５の弾性力によって操作ボタン６４が押し戻される。そして操作ボタン６４及びバネ部材６５に外力が加えられない状態では、溝４６ａ部の案内面５１が切欠き部３２ａに露出した状態となる。
【００４２】
図１及び図２に示すように、第二支持脚３ｂは、第二の横骨１３ｂに固定された第二の脚支持部６７に支持されて、天板２の裏面１０に沿って幅方向に延びる第二軸線Ｏ２回りに天板２に対して回転可能に接続されている。
第二支持脚３ｂを支持する第二の脚支持部６７は、第二の横骨１３ｂにおける一対の骨部材１４間にわたって幅方向に離れた位置で一対に設けられている。この第二の脚支持部６７は、幅方向に延びる円柱状の第二支持軸６８を有している。第二支持軸６８の中心が上記の第二軸線Ｏ２となっている。
【００４３】
さらに第二支持脚３ｂは、第一支持脚３ａの脚先本体３２の幅方向外側に配置された一対の脚本体７１と、これら脚本体７１同士を幅方向に接続する接続部７２とを有している。これら脚本体７１及び接続部７２は第一支持脚３ａの脚先本体３２及び接続部２３と略同一の形状をなしている。
第二支持脚３ｂの脚本体７１の先端は、図１に示す使用状態では、鉛直方向に対して斜めに真っ直ぐに延びた後、長手方向の前端側に向かって幅方向外側に向かって屈曲している。そして脚本体７１の先端には滑り止め用の、及び床面の傷付きを抑制する第二支持脚３ｂとは異なる材料で形成された部材３４が嵌め込まれている。第二支持脚３ｂの先端は図２に示すように収納状態では、第一支持脚３ａの基端部２１よりも前端側に位置している。
【００４４】
さらに第二支持脚３ｂには、第一支持脚３ａの脚先部３１の延在方向の途中の位置との間に、幅方向に延びる円柱状の第三支持軸８１が設けられている。第三支持軸８１の中心が第三軸線Ｏ３となっており、この第三軸線Ｏ３は天板２の裏面１０に沿って幅方向に延びている。第三軸線Ｏ３は第一軸線Ｏ１及び第二軸線Ｏ２と平行である。そして第三支持軸８１は、図２に示す収納状態で第一支持軸２９及び第二支持軸６８よりも長手方向の前端側に位置している。
【００４５】
そして第二支持脚３ｂの接続部７２は、図２に示すように第一支持脚３ａにおける基端部２１の接続部２３に平行に、収納状態では接続部２３よりも長手方向の前端側に位置する棒状部材である。このようにして収納状態では、第一支持脚３ａの脚先部３１と、第二支持脚３ｂとはともに同じ方向となる前端側に閉じられて折り畳まれ、天板２の裏面１０に沿って配置される。そして第一支持脚３ａの脚先本体３２の先端、及び、第二支持脚３ｂの脚本体７１の先端が屈曲していることで、図３（ａ）に示すように収納状態で床面上に自立可能となっている。
【００４６】
さらに、第二支持脚３ｂの先端には床面に接触して転動する転動体７３が設けられている。転動体７３はコロや球体である。この転動体７３は、使用状態から収納状態に移る際には床面に接触して転動するが、使用状態では床面に非接触となっている。より具体的には、図３（ｂ）に示すように第二支持脚３ｂの先端には筒状の先端キャップ３５が嵌め込まれて固定されている。この先端キャップ３５の先端には、第二支持脚３ｂの先端に向かって凹む軸支持部３５ａが形成されている。ここで転動体７３は床面に接触する本体部７３ａと、本体部７３ａに一体に設けられた軸部７３ｂとを有している。この軸部７３ｂが軸支持部３５ａに取り付けられていることで第二支持脚３ｂ及び先端キャップ３５に対して転動体７３が回転可能となっている。ここで、上述した滑り止め用の、及び床面の傷付きを抑制する第二支持脚３ｂとは異なる材料で形成された部材３４が先端キャップ３５の外側から嵌め込まれるとともに、転動体７３の本体部７３ａを外部に露出させるように先端部が開口している。
【００４７】
次に図４から図７を参照して支持脚３の開閉動作について説明する。なお使用状態から収納状態にする動作を支持脚３を「閉じる」動作とし、収納状態から使用状態にする動作を支持脚３を「開く」動作と称する。
【００４８】
図４に示すように、使用状態では、フック状部材４６の溝４６ａにおける係止面５３が下方からピン状部材４２に接触して、ピン状部材４２が溝４６ａに係止された状態となっている。この状態では案内面５１によって脚先部３１の切欠き部３２ａは脚先部３１の内側から覆われており、かつ、バネ部材６５の弾性力によって係止面５３は下方からピン状部材４２に押し付けられている。よって、切欠き部３２ａからピン状部材４２が抜け出ないようになっている。
【００４９】
この状態から図５に示すように操作ボタン６４を下方に押すと、フック状部材４６が下方に移動し、ピン状部材４２が係止面５３に対して上方に離れる。この際、案内面５１も下方に移動して切欠き部３２ａが開放され、切欠き部３２ａを通じてピン状部材４２を脚先部３１の外部に抜き出し可能となる。そして、ピン状部材４２を切欠き部３２ａから抜き出すように第一軸線Ｏ１を中心に基端部２１と脚先部３１とを相対回転させることで、これら基端部２１と脚先部３１とを互いに異なる方向に折り畳む。
【００５０】
この動作に伴って第二支持脚３ｂと、第一支持脚３ａにおける脚先部３１とが第三軸線Ｏ３回りに相対回転しつつ脚先部３１における脚先本体３２によって第二支持脚３ｂの接続部７２が押されて第二支持脚３ｂも折り畳まれて閉じられることで、図２の収納状態となる。
【００５１】
さらに図６に示すように、第一支持脚３ａにおける脚先部３１と基端部２１とを第一軸線Ｏ１を中心に相対回転させると、切欠き部３２ａに向かってピン状部材４２が接近していく。
【００５２】
この状態から、図７に示すように切欠き部３２ａの内部にピン状部材４２を進入させると、ピン状部材４２が案内面５１に沿って上方に案内される。この際バネ部材６５の弾性力に逆らうようにしてピン状部材４２がフック状部材４６を下方に押し下げつつ、係止面５３に接触する位置に導かれる。
するとバネ部材６５の弾性力によってフック状部材４６が上方に持ち上げられ、脚先部３１の内側から案内面５１が切欠き部３２ａを覆う。これにより、第一支持脚３ａにおける基端部２１と脚先部３１とが固定され、図１に示す使用状態となる。
【００５３】
以上説明した本実施形態のアイロン台１によれば、収納状態から使用状態に姿勢変更を行う際には、使用状態になる際に係合部４１と受け部４５とを係合させることのみで、容易に使用状態で第一支持脚３ａを固定でき、これに応じて第二支持脚３ｂも固定することができる。
逆に、係合部４１と受け部４５との係合を操作部４７によって解除することで、第一支持脚３ａにおける基端部２１と脚先部３１とを相対回転させることができ、使用状態から収納状態にアイロン台１の姿勢変更が可能となる。
【００５４】
そして本実施形態では、ピン状部材４２にフック状部材４６を引っ掛けるのみの簡単な動作で基端部２１と脚先部３１とを固定し、アイロン台１を容易に使用状態とすることが可能である。またピン状部材４２をフック状部材４６から外すことで容易に収納状態とすることが可能である。
【００５５】
特に本実施形態では、使用状態で単に操作ボタン６４を基端部２１の延在方向に、即ち、第一支持脚３ａの延在方向に進退させるといった動作によって、容易に、ピン状部材４２とフック状部材４６との係合を解除でき、収納状態となるように支持脚３を閉じることができる。
【００５６】
さらに第二支持脚３ｂに転動体７３を設けることで、転動体７３が転動することで第一支持脚３ａを軸にして第二支持脚３ｂを容易に床面上を滑らせることができ、第二支持脚３ｂの開閉動作を容易に行うことができ、さらにスムーズにアイロン台１の姿勢変更が可能となる。特に使用状態から収納状態とする際には、床面を転動体７３が転動することで少ない力でスムーズに第二支持脚３ｂを閉じることができ、これに伴って第一支持脚３ａも容易に閉じることができる。
【００５７】
また本実施形態では特に、使用状態では床面に転動体７３が非接触となっているため、アイロンをかけている際に支持脚３が床面を滑って移動してしまうことがない。
【００５８】
さらに、収納状態でアイロン台１が自立可能となっていることで、収納時にアイロン台１を壁等に立てかける必要がなくなり、収納場所の選択肢が広がる。
【００５９】
以上、本発明の実施形態について詳細を説明したが、本発明の技術的思想を逸脱しない範囲内において、多少の設計変更も可能である。
例えば本実施形態では図８に示すように、係合部９１がＵ字状をなす部材であってもよい。即ち、係合部９１は、脚受け２５から突出するとともに、幅方向に離れて一対設けられた支持棒部９３と、これら支持棒部９３同士を接続して幅方向に延びるピン状部材９２とを有している。さらに上記の切欠き部３２ａに代えて、切欠き部３２ａよりも幅寸法の小さい切欠き部９５ａを脚先本体３２の外面に設けてもよい。これにより、脚先本体３２の強度向上が可能となる。
【００６０】
さらに、上述の場合とは逆に係合部４１（ピン状部材４２）を脚先部３１に設け、受け部４５（フック状部材４６）を基端部２１に設けてもよい。また係合部４１及び受け部４５は上述の場合に限定されず、基端部２１と脚先部３１とを固定可能であれば、どのような構造であってもよい。係合部４１は脚受け２５に一体に形成されてもよいし、別部材で形成した後にリベットやボルト等の止め具で脚受け２５に固定してもよい。
【００６１】
また、支持脚３には円筒状のパイプだけでなく角筒状のパイプを用いてもよい。
【００６２】
操作部４７についても、操作ボタン６４を有する場合に限定されず、例えば操作部４７を進退可能に把持するツマミ等を設けてもよい。
【００６３】
また、上記では第二支持脚３ｂの先端には床面に接触して転動する転動体７３を設ける場合について説明したが、転動体７３に代えて、床面と接触して滑る滑動体を設けてもよい。滑動体は例えば合成ゴムにフッ素樹脂を塗布した部材等を用いることができる。そして第二支持脚３ｂではなく、第一支持脚３ａに転動体又は滑動体を設けてもよい。
【００６４】
さらに上記実施形態では、第一支持脚３ａは一対の脚本体２２と一対の脚先本体３２とを有することで二本脚形状をなしている場合について説明した。しかし第一支持脚は一本脚形状をなしていてもよい。即ち、第一支持脚が一本の脚本体２２と一本の脚先本体３２とを有し、接続部２３及び脚先接続部３３を有していなくともよい。また第二支持脚についても同様に一本脚形状をなしていてもよい。さらに第一支持脚が一本脚形状をなし、かつ第二支持脚が二本脚形状をなしていてもよいし、第一支持脚が二本脚形状をなし、かつ第二支持脚が一本脚形状をなしていてもよい。
【００６５】
また、縦骨１２及び横骨１３の形状や配置位置や数量は上述の場合に限定されず、適宜変更可能である。また、第一の脚支持部１７及び第二の脚支持部６７の形状や配置位置や数量は上述の場合に限定されず、適宜変更可能である。
【００６６】
また、図９に示すように天板１０２は、幅方向を向く一対の側面１０３の各々に、幅方向内側に向かって凹むくびれ面１０４を有していてもよい。このくびれ面１０４における最も幅方向内側に位置する底部１０４ａは、操作ボタン６４よりも長手方向の前端側に位置している。この結果、くびれ面１０４の位置でアイロン台１の幅寸法が小さくなっているため、使用者がくびれ面１０４から操作ボタン６４にアクセスし易くなり、操作ボタン６４を上方から視認し易くなる。よって、くびれ面１０４によってアイロンがけされる衣服を天板１０２にしっかりと沿わせてアイロンがけを容易化できるとともに、支持脚３の開閉を容易化できる。
【符号の説明】
【００６７】
１…アイロン台
２…天板
３…支持脚
３ａ…第一支持脚
３ｂ…第二支持脚
４…アイロン置き
１０…裏面
１２…縦骨
１３…横骨
１３ａ…第一の横骨
１３ｂ…第二の横骨
１４…骨部材
１７…第一の脚支持部
２１…基端部
２２…脚本体
２３…接続部
２５…脚受け
２６…平板部
２７…湾曲板部
２９…第一支持軸
３１…脚先部
３２…脚先本体
３２ａ…切欠き部
３３…脚先接続部
３４…部材
３５…先端キャップ
３５ａ…軸支持部
４１…係合部
４２…ピン状部材
４５…受け部
４６…フック状部材
４６ａ…溝
４７…操作部
５１…案内面
５２…湾曲面
５３…係止面
５４…内側面
５５…開口形成面
５６…長孔
６１…外筒部
６２…外側フランジ
６３…内側フランジ
６４…操作ボタン
６５…バネ部材
６７…第二の脚支持部
６８…第二支持軸
７１…脚本体
７２…接続部
７３…転動体
７３ａ…本体部
７３ｂ…軸部
８１…第三支持軸
９１…係合部
９２…ピン状部材
９３…支持棒部
９５ａ…切欠き部
１０２…天板
１０３…側面
１０４…くびれ面
１０４ａ…底部
Ｏ…軸線
Ｏ１…第一軸線
Ｏ２…第二軸線
Ｏ３…第三軸線
【図１】
2019017677.tif 000003
【図２】
2019017677.tif 000004
【図３】
2019017677.tif 000005
【図４】
2019017677.tif 000006
【図５】
2019017677.tif 000007
【図６】
2019017677.tif 000008
【図７】
2019017677.tif 000009
【図８】
2019017677.tif 000010
【図９】
2019017677.tif 000011